(57)【要約】【課題】  支持部材による電子機器の支持を強固かつ安定化する。【解決手段】  シールド板２０はロアーケース２とアッパーケース３の結合部５を筺体６の内側から遮蔽し筺体６の底部１５に沿って延在するように設けられている。また、このシールド板２０は、折曲部２１が電源基板１７と共に突子に取り付けられることにより、筺体６に設けたグランド端子２４を介して接地されている。卓上用置台２５に取り付けられた支持板３２の突片３３Ａ，３３Ｂは、筺体１５の挿通溝９Ａ，１４から挿入されシールド板２０のスリット２３Ａ，２３Ｂに嵌合している。卓上用置台２５は、ねじ挿通孔２９に挿通されたねじ４３をシールド板２０のねじ孔２２に螺合することにより、シールド板２０を介して筺体６の底部１５に取り付けられる。【選択図】  図５
2006073727.tif 000002
【特許請求の範囲】
【請求項１】
共に一面が開口した２つのケースの互いの開口端を突き合わせることにより両ケースを結合して筺体を形成する電子機器の支持部材取付構造であって、前記両ケースの結合部を前記筺体の内側から遮蔽するように筺体の底部に沿って延在する金属製のシールド板を設けるとともにこのシールド板を接地し、このシールド板に支持部材を取り付けることを特徴とする電子機器の支持部材取付構造。
【請求項２】
請求項１記載の電子機器の支持部材取付構造において、
前記支持部材に一対の金属製の突片を設け、前記筺体の底部および前記シールド板に前記各突片がそれぞれ挿入されるスリットを設けたことを特徴とする電子機器の支持部材取付構造。
【請求項３】
請求項２記載の電子機器の支持部材取付構造において、
前記支持部材を卓上用置台とし、前記スリットをシールド板の中央部よりも筺体に支承された一端側に位置付けるとともに、長さを互いに異なるように形成したことを特徴とする電子機器の支持部材取付構造。
【請求項４】
請求項２記載の電子機器の支持部材取付構造において、
前記支持部材を壁掛け用ブラケットとし、前記筺体に係合孔を設け、前記壁掛けブラケットにこの係合孔に係合するフックを設けたことを特徴とする電子機器の支持部材取付構造。
【発明の詳細な説明】
【技術分野】
【０００１】
本発明は、卓上で使用したり壁に掛けて使用したりする電子機器の支持部材取付構造に関するものである。
【背景技術】
【０００２】
従来の電子機器の支持部材取付構造は、プラスチックによって形成された筺体本体とこの筺体本体に取り付けられる卓上用置台とを備え、卓上用置台にはガイド受け部が設けられ、筺体本体の底部にはガイド受け部が挿入されるガイド部が設けられ、このガイド部の挿入口を閉鎖する離脱防止用爪部によって、卓上用置台の筺体本体からの離脱を規制している（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２００１−１２７４４７号公報（段落「００２８」および「００２９」、図４および図５）
【発明の開示】
【発明が解決しようとする課題】
【０００３】
上述した従来の電子機器の支持部材取付構造においては、卓上用置台の筺体本体からの離脱の規制を、筺体本体に一体に設けた弾性変形可能な離脱防止用爪部によって行う構造であるため、筺体本体に大きな力が加わると離脱防止用爪部が弾性変形して卓上用置台が筺体本体から外れてしまい、支持部材による電子機器の支持が不安定になるという問題があった。
【０００４】
本発明は上記した従来の問題に鑑みなされたものであり、その目的とするところは、支持部材による電子機器の支持を確実に行うことにある。
【課題を解決するための手段】
【０００５】
この目的を達成するために、請求項１に係る発明は、共に一面が開口した２つのケースの互いの開口端を突き合わせることにより両ケースを結合して筺体を形成する電子機器の支持部材取付構造であって、前記両ケースの結合部を前記筺体の内側から遮蔽するように筺体の底部に沿って延在する金属製のシールド板を設けるとともにこのシールド板を接地し、このシールド板に支持部材を取り付けるものである。
【０００６】
請求項２に係る発明は、請求項１に係る発明において、前記支持部材に一対の金属製の突片を設け、前記筺体の底部および前記シールド板に前記各突片がそれぞれ挿入されるスリットを設けたものである。
【０００７】
請求項３に係る発明は、請求項２に係る発明において、前記支持部材を卓上用置台とし、前記スリットをシールド板の中央部よりも筺体に支承された一端側に位置付けるとともに、長さを互いに異なるように形成したものである。
【０００８】
請求項４に係る発明は、請求項２に係る発明において、前記支持部材を壁掛け用ブラケットとし、前記筺体に係合孔を設け、前記壁掛けブラケットにこの係合孔に係合するフックを設けたものである。
【発明の効果】
【０００９】
本発明によれば、支持部材の電子機器への取付けを既存の接地用の金属製のシールド板を介して行うようにしたため、支持部材を取り付けるための特別な部品や取付構造を必要としないため、製造コストの低減と構造の簡素化を図ることができる。また、強度が大きい金属製のシールド板に支持部材を取り付けるため支持部材による電子機器の支持を強固に行うことができる。
【００１０】
請求項３に係る発明によれば、卓上用置台をシールド板の比較的変形の少ない部位に取り付けられるため、支持部材による電子機器の支持をより安定化することができる。また、一対のスリットの長さを異なるように形成したことにより、電子機器に対する卓上用置台の取付方向の間違いを防止することができる。
【発明を実施するための最良の形態】
【００１１】
以下、本発明の実施の形態を図に基づいて説明する。図１は本発明に係る電子機器の外観を示す斜視図、図２は図１におけるII-II 線断面図、図３は同じくアッパーケースを外した筺体に卓上用置台に取り付ける状態を示す斜視図、図４は同じく卓上用置台をロアーケースに取り付けた状態の要部を示す側断面図、図５は図４におけるV-V 線断面図、図６は同じく筺体の底部における挿通溝の位置を説明するための筺体底部の平面図、図７は同じく筺体の底部に取り付けたシールド板の位置を説明するための筺体底部の平面図、図８は同じく卓上用置台の平面図、図９は同じく電子機器を壁掛け用ブラケットに取り付ける状態を示す斜視図、図１０は同じく壁掛け用ブラケットを示し、同図（Ａ）は正面図、同図（Ｂ）は同図（Ａ）におけるX（Ｂ）矢視図、図１１は同じく壁掛け用ブラケットをロアーケースに取り付けた状態の要部を示す側断面図、図１２は図１１におけるXII-XII 線断面図である。
【００１２】
図１に全体を符号１で示す電子機器は、共に合成樹脂によって底が浅く一面が開口する箱状に形成されたロアーケース２とアッパーケース３とを備えており、図２に示すようにロアーケース２の底面に一体に立設されたスタッド４にアッパーケース３側からねじを螺合することにより、両ケース２，３が開口端を突き合わされて結合され、結合部５を有する筺体６が形成されている。
【００１３】
図３および図６において、ロアーケース２の一側部７の中央部にはねじ挿通孔８が設けられており、このねじ挿通孔８を挟むように両端側には挿通溝９Ａ，９Ｂが互いに対向するように設けられている。これら挿通溝９Ａ，９Ｂは、ロアーケース２の開口端、すなわち結合部５から距離δだけずれた位置に位置付けられており、共に長さＬ１に形成されている。図５に示すように、ロアーケース２の底部の挿通溝９Ａ，９Ｂに近接した部位には、後述するシールド板２０を支承する一対の支承突子１０，１０が一体に立設されており、これら支承突子１０，１０の先端にはシールド板２０を挟持する挟持溝が設けられている。ロアーケース２の背面部には、図９および図１１に示すように、後述する壁掛け用ブラケット３５のフック３９が係入される一対の係合孔としての係入溝１１，１１が互いに対向するように設けられている。
【００１４】
アッパーケース３の一側部１２には、図６に示すように、ロアーケース２の挿通溝９Ｂに連通する挿通溝１３が設けられており、両ケース２，３を結合することによりこれら挿通溝９Ｂと挿通溝１３とによって長さＬ２の挿通溝１４が形成される。また、アッパーケース３の一側部１２とロアーケース２の一側部７とは、両ケース２，３を結合することにより筺体６の底部１５を形成する。
【００１５】
図２および図４において、１７はロアーケース２の底面に一体に立設された突子１８Ａ，１８Ｂに取り付けられた電源基板である。２０は金属製のシールド板であって、一端部に直角に折曲形成された折曲部２１が設けられており、図７に示すように中央部にねじ孔２２が螺設され、両端部に一対のスリット２３Ａ，２３Ｂが互いに対向するように設けられている。スリット２３Ａは上述した筺体６の底部１５に設けた挿通溝９Ａと同一の形状に形成され、スリット２３Ｂは筺体６の底部１５に設けた挿通溝１４と同一の形状に形成されている。したがって、スリット２３Ａは長さＬ１に形成され、スリット２３Ｂは長さＬ２に形成されている。
【００１６】
このシールド板２０は、図５および図７に示すように、両ケース２，３の結合部５を筺体６の内側から遮蔽し筺体６の底部１５に沿って延在するように、一端２０ａが保持突子１０，１０の溝に挟持されており、折曲部２１が電源基板１７と共に突子１８Ａに取り付けられることにより、電源基板１７の配線パターン（図示せず）および筺体６に設けたグランド端子２４を介して接地されている。
【００１７】
このように筺体６に取り付けられたシールド板２０においては、図７に示すように、中央部が結合部５に位置付けられており、一対のスリット２３Ａ，２３Ｂがシールド板２０の中央部（結合部５）よりも長さδだけ支承突子１０，１０に支承された一端２０ａ側に位置付けられているとともに、これら支承突子１０，１０に対応している。また、これらスリット２３Ａ，２３Ｂは筺体６の底部１５に設けた挿通溝９Ａ，１４のそれぞれに対向し、ねじ孔２２は筺体６の底部１５に設けたねじ挿通孔８に対向している。
【００１８】
図３において、２５は全体が合成樹脂によって形成された支持部材としての卓上用置台であって、下方側に設けた台座部２６とこの台座部２６の中央部に設けた隆起部２７とによって一体に形成されている。隆起部２７の上面部２８の中央部にはねじ挿通孔２９が設けられ、上面部２８の両端部には挿通溝３０Ａ，３０Ｂが設けられており、上面部２８の下面側には図５に示すように一対のスタッド３１，３１が突設されている。３２は断面がコ字状に形成された金属製の支持板であって、両端部に直角に折り曲げ形成された一対の突片３３Ａ，３３Ｂが設けられており、中央部に挿通孔３４が設けられている。図８に示すように、突片３３Ａの長さはＬ１に形成され、突片３３Ｂの長さはＬ２に形成されている。この支持板３２は突片３３Ａ，３３Ｂが挿通溝３０Ａ，３０Ｂから上方に突設するように、スタッド３１，３１にねじ止めされることにより卓上用置台２５に取り付けられている。
【００１９】
図１０において、３５は金属製の支持部材としての壁掛けブラケットであって、中央部に矩形状の孔３６が設けられ、この孔３６の上下には一対のねじ挿通孔３７，３７が設けられている。また、この壁掛けブラケット３５の両側端部には直角に折曲形成され互いに対向する一対の折曲部３８，３８が設けられており、これら折曲部３８，３８の上部には、逆Ｌ字状に形成されたフック３９，３９が一体に突設されている。さらに、この壁掛けブラケット３５の下端部には直角に折曲形成された折曲部４０が設けられており、この折曲部４０の両端部には上方に向かって直角に折曲形成された一対の突片４１Ａ，４１Ｂが突設されている。突片４１Ａは長さＬ１に形成され、突片４１Ｂは長さＬ２に形成されている。
【００２０】
次に、このような構成された電子機器の支持部材取付構造について、電子機器を卓上で使用する場合を説明する。図３に示すように、卓上用置台２５の突片３３Ａおよび突片３３Ｂを電子機器１の筺体６の底部１５の挿通溝９Ａおよび挿通溝１４のそれぞれから筺体６内に挿入し、これら突片３３Ａおよび突片３３Ｂをシールド板２０のスリット２３Ａおよびスリット２３Ｂのそれぞれに嵌合させる。この状態で、図５に示すように、ねじ４３を卓上用置台２５のねじ挿通孔２９と筺体６のねじ挿通孔８とに挿通させ、シールド板２０のねじ孔２２に螺合し、卓上用置台２５を電子機器１の筺体６の底部１５に取り付けられる。したがって、この卓上用置台２５の台座部２６を机等に載置することにより、電子機器１を卓上で使用することができる。
【００２１】
上述したように、シールド板２０のスリット２３Ａ，２３Ｂが、シールド板２０の中央部よりも支承突子１０に支承される一端２０ａ側に距離δだけずれた位置に設けられているため、シールド板２０に外力が加わったときに、このスリット２３Ａ，２３Ｂの部位がシールド板２０の他端側に比べて変形量が少ない。このため、このスリット２３Ａ，２３Ｂに挿入される支持板３２の突片３３Ａ，３３Ｂを介してシールド板２０に取り付けられる卓上用置台２５の支持をより強固なものとすることができる。また、一対のスリット２３Ａ，２３Ｂの長さを異なるように形成したことにより、電子機器１に対する卓上用置台２５の取付方向の間違いを防止することができる。また、卓上用置台２５は金属製の支持板３２が金属製のシールド板２０に電気的に接続されているため、卓上用置台２５から筺体６内に侵入する静電気はシールド板２０およびグランド端子２４を介して接地されるから筺体６内に滞留することがない。
【００２２】
次に、図９ないし図１２を用いて電子機器を壁に掛けて使用する場合を説明する。先ず、壁掛け用ブラケット３５を、フック３９および突片４１Ａ，４１Ｂが壁と反対側に位置するようにして壁に対接させ、ねじ挿通孔３７に挿通したねじを壁にねじ込むことにより、壁掛け用ブラケット３５を壁に取り付ける。壁掛けブラケット３５のフック３９に電子機器１の係入溝１１，１１を係入させ、電子機器１をわずかに下方に移動させることにより、図１１に示すようにフック３９を係入溝１１の上端縁に係合させる。このとき、電子機器１の底部１５の挿通溝９Ａおよび挿通溝１４のそれぞれに壁掛けブラケット３５の突片４１Ａおよび突片４１Ｂが挿入され、これら突片４１Ａおよび突片４１Ｂはシールド板２０のスリット２３Ａおよびスリット２３Ｂのそれぞれに嵌合されることにより、電子機器１が壁掛けブラケット３５を介して壁に取り付けられる。この壁掛けで使用する場合においても、金属製の壁掛けブラケット３５が金属製のシールド板２０に電気的に接続されているため、壁掛けブラケット３５から筺体６内に侵入する静電気はシールド板２０およびグランド端子２４を介して大地に接地されるから筺体６内に滞留することがない。
【００２３】
このように、卓上用置台２５および壁掛けブラケット３５が剛性の高い金属によって形成されたシールド板２０を介して電子機器１に取り付けられているため、卓上用置台２５および壁掛けブラケット３５による電子機器１の支持を強固に行うことができる。また、卓上用置台２５および壁掛けブラケット３５の電子機器１への取付けを既存のシールド板２０を介して行えるため、卓上用置台２５および壁掛けブラケット３５を取り付けるための特別な部品や取付構造を必要としないため、製造コストの低減と構造の簡素化を図ることができる。
【図面の簡単な説明】
【００２４】
【図１】本発明に係る電子機器の外観を示す斜視図である。
【図２】図１におけるII-II 線断面図である。
【図３】本発明に係る電子機器において、アッパーケースを外した筺体に卓上用置台に取り付ける状態を示す斜視図である。
【図４】本発明に係る電子機器において、卓上用置台をロアーケースに取り付けた状態の要部を示す側断面図である。
【図５】図４におけるV-V 線断面図である。
【図６】本発明に係る電子機器において、筺体の底部における挿通溝の位置を説明するための筺体底部の平面図である。
【図７】本発明に係る電子機器において、筺体の底部に取り付けたシールド板の位置を説明するための筺体底部の平面図である。
【図８】本発明に係る電子機器において、卓上用置台の平面図である。
【図９】本発明に係る電子機器において、電子機器を壁掛け用ブラケットに取り付ける状態を示す斜視図である。
【図１０】本発明に係る電子機器において、壁掛け用ブラケットを示し、同図（Ａ）は正面図、同図（Ｂ）は同図（Ａ）におけるX（Ｂ）矢視図である。
【図１１】本発明に係る電子機器において、壁掛け用ブラケットをロアーケースに取り付けた状態の要部を示す側断面図である。
【図１２】図１１におけるXII-XII 線断面図である。
【符号の説明】
【００２５】
１…電子機器、５…結合部、６…筺体、９Ａ，１４…挿通溝、１０…支承突子、１５…底部、２０…シールド板、２０ａ…一端、２３Ａ，２３Ｂ…スリット、２４…グランド端子、２５…卓上用置台（支持部材）、３３Ａ，３３Ｂ…突片、３５…壁掛けブラケット（支持部材）、３９…フック、４１Ａ，４１Ｂ…突片。
【図１】
2006073727.tif 000003
【図２】
2006073727.tif 000004
【図３】
2006073727.tif 000005
【図４】
2006073727.tif 000006
【図５】
2006073727.tif 000007
【図６】
2006073727.tif 000008
【図７】
2006073727.tif 000009
【図８】
2006073727.tif 000010
【図９】
2006073727.tif 000011
【図１０】
2006073727.tif 000012
【図１１】
2006073727.tif 000013
【図１２】
2006073727.tif 000014